(57)【要約】      （修正有）【課題】用紙の後端部が案内フィルム上を通過するときに、用紙の後端部に生じる放電模様の発生を抑制し、案内フィルムの損傷を抑制する転写装置を提供する。【解決手段】案内フィルム１１０は、第１案内部１１１と、用紙の幅方向において第１案内部１１１よりも外側に配置された一対の第２案内部１１２とを備え、第１案内部１１１は、感光ドラムに向かう第１方向に延びる第１部分１１１ａと、第１方向と交差するとともに転写ローラに向かう第２方向に延びる第２部分１１１ｂと、を備えている。一対の第２案内部１１２は、それぞれ第１方向に向けて延び、第１案内部１１１の幅方向端部を挟むように配置され、用紙の幅方向端Ｐ１に対応する位置に配置されている。第１部分１１１ａにおける用紙搬送方向の下流端は、用紙の幅方向に沿って延びて、第２案内部１１２における用紙搬送方向の下流端１１２ａを通る直線Ｌ１上に配置されている。【選択図】図３
2015169869.tif 000002
【特許請求の範囲】
【請求項１】
外周面上に現像剤像を形成する感光ドラムに形成された現像剤像を用紙に転写する転写装置であって、
前記転写装置は、前記感光ドラムに対向配置される転写ローラと、前記感光ドラムと前記転写ローラが対向する位置よりも前記用紙搬送方向上流側に配置されるとともに、前記感光ドラムと前記転写ローラが対向する転写位置へと前記用紙を案内するための案内フィルムと、を備え、
前記案内フィルムは、前記感光ドラムに向かう第１方向に延びる第１部分と、前記第１方向と交差するとともに前記転写ローラに向かう第２方向に延びる第２部分と、を有している第１案内部と、前記用紙の幅方向において前記第１案内部よりも外側に配置され、前記第１方向に延びる第２案内部と、を備え、
前記第２案内部は、用紙の幅方向端部に対応する位置に配置され、
前記第１案内部の前記第１部分における前記用紙搬送方向の下流端は、前記用紙の幅方向に沿って延びて、前記第２案内部における前記用紙搬送方向の下流端を通る直線上に配置されている、ことを特徴とする転写装置。
【請求項２】
前記第１案内部における前記用紙の幅方向に延びる長さは、前記第２案内部における前記用紙の幅方向に延びる長さよりも長い、ことを特徴とする請求項１に記載の転写装置。
【請求項３】
前記第１案内部と前記第２案内部は、一体で成形されている、ことを特徴とする請求項１または２に記載の転写装置。
【請求項４】
前記案内フィルムは、前記第１案内部と前記第２案内部との間にスリットを備えている、ことを特徴とする請求項１から３のいずれか一項に記載の転写装置。
【請求項５】
前記第２案内部の先端における前記用紙の幅方向における長さは、前記第２案内部の基端における前記用紙の幅方向における長さよりも短い、ことを特徴とする請求項１から４のいずれか一項に記載の転写装置。
【請求項６】
前記転写装置は、前記案内フィルムと前記転写位置との間に、記録シートを支持するための緩衝部材をさらに備え、
前記緩衝部材は、前記第２案内部における前記用紙搬送方向の下流端に対応する位置にのみ配置されている、ことを特徴とする請求項１から５のいずれか一項に記載の転写装置。
【発明の詳細な説明】
【技術分野】
【０００１】
本発明は、感光ドラムの外周面上に担持された現像剤像を搬送中の用紙に転写するための転写装置に関する。
【背景技術】
【０００２】
レーザプリンタなどの電子写真方式の画像形成装置は、現像剤が収容されている現像ユニットと、現像剤像を担持するための感光ドラムと、感光ドラムから現像剤像を静電的に引き寄せるための転写バイアスが印加される転写ローラと、を備えている。この画像形成装置は、感光ドラムの外周面に静電潜像を形成し、現像ユニットから感光ドラムの外周面に現像剤を供給することにより、感光ドラムの外周面に現像剤像を形成する。その後、画像形成装置は、感光ドラムの外周面に形成された現像剤像を、感光ドラムと転写ローラとの間を通過する用紙に転写することによって、用紙上に画像を形成する。
【０００３】
この画像形成装置は、さらに、感光ドラムと転写ローラとが接触する転写位置よりも用紙搬送方向上流側に配置され、感光ドラムと転写ローラの間に案内するときに、用紙を感光ドラム側に近づけるための案内フィルムを備えている。
【０００４】
案内フィルムは、ＰＥＴ（ポリエチレンテレフタラート）からなり、先端部が感光ドラムに向けて延びるように構成されている。
【０００５】
しかしながら、このような構成によれば、用紙の後端部が案内フィルム上を通過した後に、用紙は、自重により転写ローラ側に移動する。すなわち、用紙の後端部と転写ローラとの間の距離は、小さくなる。
【０００６】
すると、用紙の後端部は、転写バイアス電圧を印加された転写ローラからの放電を受ける。そのため、転写位置よりも感光ドラムの回転方向上流側に担持された現像剤像は、用紙の後端部に向かって引き付けられる。その結果、用紙の後端部に、斑点状の放電模様が発生してしまうという問題があった。
【０００７】
そこで、前記した問題を解決するために、先端部が用紙を案内する案内面とは反対側の面に向けて屈曲している案内フィルムが提案されている。（特許文献１参照）
このように構成することによって、用紙の後端部は、感光ドラムと転写ローラとの接触位置に侵入する直前まで、感光ドラムに近接するように案内フィルムに支持される。そのため、用紙の後端部が案内フィルム上を通過した後において、用紙の後端部と感光ドラムとの間の距離は、小さくなる。つまり、用紙の後端部に、斑点状の放電模様が発生してしまうことを抑制することができる。
【先行技術文献】
【特許文献】
【０００８】
【特許文献１】特開平１０−２６０５９５号公報
【発明の概要】
【発明が解決しようとする課題】
【０００９】
しかしながら、特許文献１に記載の案内フィルムは、用紙を繰り返し転写位置へと案内することによって、損傷する恐れがある。具体的には、用紙と案内フィルムが摺接するときに、用紙と案内フィルムの摩擦力は、用紙の幅方向端に対応する位置において最も大きくなる。そのため、案内フィルムは、用紙の幅方向端に対応する位置を起点に擦り切れる恐れがある。
【００１０】
そこで、案内フィルムの用紙の幅方向における長さを、用紙の幅よりも短くすることが考えられる。このような構成によれば、用紙の幅方向端は、案内フィルムの屈曲部上を通過しない。しかしながら、このような構成によれば、用紙と案内フィルムが摺接するときに、用紙の幅方向端部は、下方に向けて撓む。すると、用紙と案内フィルムの摩擦力は、案内フィルムの屈曲部における用紙の幅方向端において最も大きくなる。そのため、案内フィルムは、屈曲部における用紙の幅方向端を起点に擦り切れる恐れがある。
【００１１】
そこで、本発明は、上記の問題に鑑みてなされたものであり、用紙の後端部が案内フィルム上を通過するときに、用紙の後端部に生じる放電模様の発生を抑制しつつ、案内フィルムの損傷を抑制することを目的とする。
【課題を解決するための手段】
【００１２】
（１）上記の課題を達成するために、本発明の転写装置は、感光ドラムに対向配置される転写ローラと、感光ドラムと転写ローラが対向する位置よりも用紙搬送方向上流側に配置されるとともに、感光ドラムと転写ローラが対向する転写位置へと用紙を案内するための案内フィルムと、を備えている。
【００１３】
案内フィルムは、感光ドラムに向かう第１方向に延びる第１部分と、第１方向と交差するとともに転写ローラに向かう第２方向に延びる第２部分と、を有している第１案内部と、用紙の幅方向において第１案内部よりも外側に配置され、第１方向に延びる第２案内部と、を有している。
【００１４】
第２案内部は、用紙の幅方向端部に対応する位置に配置されている。
【００１５】
第１案内部の第１部分における用紙搬送方向の下流端は、用紙の幅方向に沿って延びて、第２案内部における用紙搬送方向の下流端を通る直線上に配置されている。
【００１６】
このような構成によれば、案内フィルムとの摩擦力が小さい用紙の幅方向中央部が、第１案内部の第１部分と第２部分との間の屈曲部と接触しているときに、案内フィルムとの摩擦力が大きい用紙の幅方向端部は、第２案内部と接触している。
【００１７】
そのため、用紙の幅方向端部は、案内フィルムの屈曲部上を通過しない。その結果、用紙の幅方向端に対応する位置を起点に、案内フィルムが擦り切れることを抑制できる。また、用紙の幅方向端部は、直線状に形成された案内フィルムの第２案内部に支持される。その結果、案内フィルムの屈曲部における用紙の幅方向端を起点に、案内フィルムが擦り切れることを抑制できる。つまり、用紙の後端部が案内フィルムを通過するときに生じる放電模様の発生を抑制しつつ、案内フィルムの損傷を抑制することができる。
【００１８】
（２）第１案内部における用紙の幅方向に延びる長さは、第２案内部における用紙の幅方向に延びる長さよりも長いとよい。
【００１９】
このような構成によれば、第１案内部と用紙の接触面積は、第２案内部と用紙の接触面積よりも大きくなる。
【００２０】
そのため、第１案内部における用紙の幅方向に延びる長さが第２案内部における用紙の幅方向に延びる長さよりも短い構成よりも、用紙の後端部と案内フィルムの接触面積は、大きくなる。その結果、用紙の後端部は、より感光ドラムの外周面に近接した状態で転写位置に向けて搬送される。つまり、用紙の後端部が案内フィルムを通過するときに生じる放電模様の発生をより抑制することができる。
【００２１】
（３）第１案内部と第２案内部は、一体で成形されているとよい。
【００２２】
このような構成によれば、第１案内部と第２案内部がそれぞれ異なる部材で成形されている場合に比べて、部品点数を削減することができる。
【００２３】
つまり、転写装置の組立て工数を削減することができる。
【００２４】
（４）案内フィルムは、第１案内部と第２案内部との間にスリットを備えているとよい。
【００２５】
このような構成によれば、用紙の後端部が案内フィルム上を通過するときに、用紙の一部は、第１部分と第２部分の間に配置されたスリット上を通過する。すなわち、用紙の一部は、案内フィルムと摺接しない状態となる。
【００２６】
つまり、スリットが設けられていない構成よりも、案内フィルムと用紙の擦れによる紙粉の発生を抑制することができる。
【００２７】
（５）第２案内部の先端における用紙の幅方向における長さは、第２案内部の基端における用紙の幅方向における長さよりも短いとよい。
【００２８】
このような構成によれば、用紙と第２案内部との接触面積が小さくなるとともに、第２案内部の剛性の低下を抑制できる。
【００２９】
そのため、第２案内部と用紙との擦れにより紙粉の発生を抑制しつつ、第２案内部が撓むことにより生じる放電模様の発生を抑制することができる。
【００３０】
（６）転写装置は、案内フィルムと転写位置との間に、記録シートを支持するための緩衝部材をさらに備えているとよい。
【００３１】
また、緩衝部材は、第２案内部における用紙搬送方向の下流端に対応する位置にのみ配置されているとよい。
【００３２】
このような構成によれば、用紙の後端部における幅方向端部が第２案内部上を通過した後に、用紙の後端部における幅方向端部は、緩衝部材に支持される。
【００３３】
そのため、用紙の後端部における幅方向中央部だけでなく、用紙の後端部における幅方向端部も、感光ドラムと転写ローラとの接触位置に侵入する直前まで、感光ドラムに近接するように支持される。つまり、用紙の後端部が案内フィルムを通過するときに生じる放電模様の発生をより抑制することができる。
【発明の効果】
【００３４】
本発明によれば、用紙の後端部が案内フィルム上を通過するときに、用紙の後端部に生じる放電模様の発生を抑制しつつ、案内フィルムの損傷を抑制することができる。
【図面の簡単な説明】
【００３５】
【図１】レーザプリンタの断面の模式図。
【図２】図１に示すレーザプリンタの転写装置の断面の模式図。
【図３】図２に示す転写装置の斜視図。
【図４】図３のＡ−Ａ’断面の模式図。
【図５】図２に示す転写装置において、用紙の搬送途中の状態を説明するための説明図。
【図６】図２に示す転写装置において、用紙の後端部が案内フィルムを通過し終わる直前の状態を説明するための説明図。
【図７】実施形態２における案内フィルムの斜視図。
【図８】図７に示す案内フィルムの第２案内部を正面から見た正面図。
【図９】実施形態３における転写装置の断面の模式図。
【図１０】実施形態３における案内フィルムの撓みを説明するための説明図。
【図１１】実施形態３における緩衝部材の位置を説明するための説明図。
【発明を実施するための形態】
【００３６】
＜実施形態１＞
本発明の実施形態１について、適宜図面を参照しながら詳細に説明する。
【００３７】
１．レーザプリンタ１の全体構成
まず、図１を参照して、レーザプリンタ１の全体構成を説明する。レーザプリンタ１は、本体ケーシング１０と、用紙Ｐを給紙するための給紙部２０と、給紙された用紙Ｐに画像を形成するための画像形成部３０と、用紙Ｐを排紙するための排紙部４０と、を備えている。
【００３８】
本体ケーシング１０は、給紙部２０と、画像形成部３０と、排紙部４０と、を内部に収容している。給紙部２０は、内部に用紙Ｐを収容するための給紙カセット２１と、給紙カセット２１から用紙Ｐをピックアップして画像形成部に向けて搬送するための給紙ローラ２２と、を備えている。給紙カセット２１は、前後方向にスライドさせることによって本体ケーシング１０に着脱可能に構成されており、本体ケーシング１０の底部に配置されている。画像形成部３０は、給紙部２０の上側に配置されている。排紙部４０は、画像形成部３０の後側に配置され、画像形成部３０から搬送された用紙Ｐを排紙するように構成されている。
【００３９】
画像形成部３０は、さらに、感光ドラム８２上に静電潜像を形成するための露光装置５０と、プロセスユニット６０と、用紙Ｐ上に形成された現像剤像を定着するための定着装置７０と、を備えている。
【００４０】
露光装置５０は、本体ケーシング１０の上部に配置されている。
【００４１】
プロセスユニット６０は、本体ケーシング１０に着脱可能に構成され、ドラムユニット８０と、現像装置の一例としての現像ユニット９０と、を備えている。ドラムユニット８０は、ドラムフレーム８１と、感光ドラム８２と、感光ドラム８２の外周面上を一様に帯電させるための帯電器８３と、感光ドラム８２の外周面上に担持された現像剤を用紙Ｐに転写するための転写ローラ８４と、を備えている。現像ユニット９０は、ドラムユニット８０に着脱可能に構成され、感光ドラム８２に現像剤を供給するための現像ローラ９１を備えている。
【００４２】
定着装置７０は、画像形成部３０の後側に配置され、加熱源としてのヒータが内部に配置された加熱ローラ７１と、加熱ローラ７１との間にニップ部を形成する加圧ローラ７２と、を備えている。用紙Ｐに形成された現像剤像は、当該ニップ部を通過することによって、用紙Ｐ上に定着する。
【００４３】
２．転写装置１００の構成
次に、図２から図６を参照して、転写装置１００の構成を説明する。転写装置１００は、図１に示したドラムユニット８０の内部に配置されている。なお、図２から図６の構成は、図面の見やすさを考慮して、図１では省略している。
【００４４】
転写装置１００は、図２に示すように、転写ローラ８４と、用紙Ｐを感光ドラム８２と転写ローラ８４とが接触する転写位置Ｃに案内するための案内フィルム１１０と、案内フィルム１１０を支持するための支持フレーム１２０と、を備えている。
【００４５】
案内フィルム１１０は、転写位置Ｃよりも用紙搬送方向の上流側に配置され、基端部が支持フレーム１２０に支持され、先端部が自由端となるように構成されている。
【００４６】
また、案内フィルム１１０は、可撓性の樹脂フィルムからなり、たとえば、ＰＥＴ（ポリエチレンテレフタラート）フィルムからなる。この案内フィルム１１０は、レーザプリンタ１で使用する用紙（薄紙、厚紙、など）のうち最も軟らかい用紙よりも硬く、最も硬い用紙よりも軟らかくなるように構成される。たとえば、案内フィルム１１０がＰＥＴ（ポリエチレンテレフタラート）フィルムからなる場合、案内フィルム１１０の厚みは、８０μｍ〜２００μｍとなる。なお、案内フィルム１１０の厚みは、用紙搬送方向および用紙の幅方向に直交する方向の長さのことである。
【００４７】
また、案内フィルム１１０は、図３に示すように、用紙の幅方向中心に対して左右対称となるように構成され、第１案内部１１１と、用紙の幅方向において第１案内部１１１よりも外側に配置された一対の第２案内部１１２と、第１案内部１１１と一対の第２案内部１１２との間に配置された一対のスリット１１３と、を備えている。なお、一対の第２案内部１１２および一対のスリット１１３は、それぞれ同一構造である。そのため、以下からは、左側の第２案内部１１２およびスリット１１３について詳細に説明する。
【００４８】
また、案内フィルム１１０の用紙の幅方向における長さは、用紙Ｐの幅よりも長くなるように構成されている。
【００４９】
第１案内部１１１は、凸型に成形され、用紙搬送方向に延びる第１部分１１１ａと、長方形に成形され、第１部分の１１１ａの用紙搬送方向下流端部から第１部分１１１ａとは異なる方向に延びる第２部分１１１ｂと、を備えている。
【００５０】
第１部分１１１ａは、用紙の幅方向に所定の間隔を空けて配置された複数のスリット１１４を備えている。複数のスリット１１４は、長方形に成形され、第１部分１１１ａにおける用紙搬送方向の先端から基端に向けて配置されている。また、複数のスリット１１４は、用紙搬送方向の長さおよび用紙の幅方向における長さが、それぞれ等しくなるように構成されている。
【００５１】
第２案内部１１２は、長方形に成形され、用紙の幅方向端Ｐ１に対応する位置に配置されている。また、第２案内部１１２は、第１案内部１１１の第１部分１１１ａにおける用紙幅方向の端部から用紙幅方向に向けて延出するように配置され、第１案内部１１１の第１部分１１１ａと一体で成形されている。
【００５２】
また、第２案内部１１２の用紙の幅方向における長さは、第１案内部１１１の用紙の幅方向における長さよりも短くなるように構成されている。一方、第２案内部１１２の用紙搬送方向における長さは、第１案内部１１１の第１部分１１１ａの用紙搬送方向における長さと等しくなるように構成されている。
【００５３】
また、第２案内部１１２における用紙搬送方向の下流端１１２ａは、用紙の幅方向に沿って延びて、第１案内部１１１の第１部分１１１ａにおける用紙搬送方向の下流端１１１ｃを通過する直線Ｌ１上に配置されている。言い換えると、第１案内部１１１の第１部分１１１ａにおける用紙搬送方向の下流端１１１ｃと、第２案内部１１２における用紙搬送方向の下流端１１２ａとは、同一直線上に配置されている。さらに言い換えると、第２案内部１１２における用紙搬送方向の下流端１１２ａは、用紙Ｐの幅方向（Ｂ方向）から投影したときに、第１案内部１１１の第１部分１１１ａにおける用紙搬送方向の下流端１１１ｃと重なるように配置されている。
【００５４】
また、第２案内部１１２における用紙搬送方向の上流端１１２ｂは、用紙の幅方向に延びて、第１案内部１１１の第１部分１１１ａにおける用紙搬送方向の上流端１１１ｄを通過する直線Ｌ２上に配置されている。言い換えると、第１案内部１１１の第１部分１１１ａにおける用紙搬送方向の上流端１１１ｄと、第２案内部１１２における用紙搬送方向の上流端１１２ｂとは、同一直線上に配置されている。さらに言い換えると、第２案内部１１２における用紙搬送方向の上流端１１２ｂは、用紙Ｐの幅方向（Ｂ方向）から投影したときに、第１案内部１１１の第１部分１１１ａにおける用紙搬送方向の上流端１１１ｄと重なるように配置されている。
【００５５】
すなわち、第１案内部１１１の第１部分１１１ａは、用紙Ｐの幅方向（Ｂ方向）から投影したときに、第２案内部１１２と重なるように配置されている。
【００５６】
スリット１１３は、長方形に成形され、第１案内部における用紙搬送方向の上流側端部と、第２案内部における用紙搬送方向の上流側端部との間に配置されている。また、スリットは、複数のスリット１１４と並列になるように配置され、用紙搬送方向の長さおよび用紙の幅方向における長さが、複数のスリット１１４と等しくなるように構成されている。
【００５７】
また、第１案内部１１１の第１部分１１１ａは、図４に示すように、第１案内部１１１における用紙搬送方向の上流端１１１ｃから第１方向Ｘに向けて延びている。第１案内部１１１の第２部分１１１ｂは、第１部分１１１ａにおける用紙搬送方向の下流端１１１ｄから第２方向Ｙに向けて延びている。すなわち、第１部分１１１ａと第２部分１１１ｂは、略Ｖ字状に屈曲している。このとき、第１部分１１１ａと第２部分１１１ｂが屈曲する角度θは、１２０°以下となるように設定されている。本実施形態において、この角度θは、１００°となっている。
【００５８】
支持フレーム１２０は、ドラムフレーム８１の一部として構成され、図５に示すように、案内フィルム１１０の基端部を支持するための傾斜溝１２１を有している。傾斜溝１２１は、感光ドラム８２の回転軸線軸方向に沿って配置され、断面視略Ｖ字状に成形されている。また、傾斜溝１２１は、第１面１２２と、第１面１２２よりも用紙Ｐの搬送方向下流側に配置された第２面１２３と、を備えている。
【００５９】
第１面１２２は、用紙搬送方向の上流側から下流側に向かって下方へ傾斜するように構成されている。具体的には、第１面１２２の傾斜方向は、第２方向Ｙと等しい。
【００６０】
第２面１２３は、用紙搬送方向の上流側から下流側に向かって上方へ傾斜するように構成されている。具体的には、第２面１２３の傾斜方向は、第１方向Ｘと等しい。また、第２面１２３の傾斜角度αは、仮想線Ｌ４に対して、１０°＜α≦３５°となるように構成されている。なお、仮想線Ｌ４は、二点鎖線で示すように、感光ドラム８２の回転中心８２ａと転写ローラ８４の回転中心８４ａとを結ぶ線Ｌ３と直交する方向に延びて、かつ、感光ドラム８２と転写ローラ８４とが接触するニップ部を通過する線のことである。
【００６１】
３．用紙Ｐの搬送
次に、図５および図６を参照して、用紙Ｐの搬送について説明する。
【００６２】
画像形成動作が開始すると、給紙部２０に収容されている用紙Ｐは、転写装置１００に向かって搬送される。用紙Ｐが案内フィルム１１０に到達すると、用紙Ｐは、図５に示すように、案内フィルム１１０に支持される。具体的には、用紙Ｐの幅方向中央部は、第１案内部１１１に支持されている。一方、用紙Ｐの幅方向端部は、第２案内部１１２に支持されている。その後、用紙Ｐは、案内フィルム１１０によって、感光ドラム８２に近接するように搬送される。
【００６３】
その後、用紙Ｐの後端部は、第１案内部１１１の第１部分１１１ａと第２案内部１１２との間の屈曲部上を通過する。すると、用紙Ｐの後端部は、図６に示すように、第１案内部１１１の第２部分１１１ｂに支持される。具体的には、用紙Ｐの後端部の幅方向中央部は、第１案内部１１１の第２部分１１１ｂに支持されている。一方、用紙Ｐの後端部の幅方向端部は、すでに第２案内部上を通過しているため、案内フィルム１１０に支持されない状態となっている。
【００６４】
その後、用紙Ｐの後端部は、転写位置Ｃへと搬送され、用紙Ｐに形成された現像剤像を定着するために、定着装置７０へ向けて搬送される。
【００６５】
５．実施形態１の作用効果
（１）案内フィルム１１０は、第１方向Ｘに延びる第１部分１１１ａと、第１方向Ｘと交差するとともに転写ローラ８４に向かう第２方向Ｙに延びる第２部分１１１ｂと、を有している第１案内部１１１と、用紙の幅方向において第１案内部１１１よりも外側に配置され、第１方向Ｘに延びる第２案内部１１２と、を有している。
【００６６】
また、第２案内部１１２は、用紙Ｐの幅方向端Ｐ１に対応する位置に配置されている。
【００６７】
また、第１案内部１１１の第１部分１１１ａにおける用紙搬送方向の下流端１１１ｄは、用紙の幅方向に沿って延びて、第２案内部１１２における用紙搬送方向の下流端１１２ｂを通る直線Ｌ１上に配置されている。
【００６８】
このような構成によれば、案内フィルム１１０との摩擦力が小さい用紙Ｐの幅方向中央部が、第１案内部１１１の第１部分１１１ａと第２部分１１１ｂとの間の屈曲部と接触しているときに、案内フィルム１１０との摩擦力が大きい用紙Ｐの幅方向端部は、第２案内部１１２と接触している。
【００６９】
そのため、用紙Ｐの幅方向端部は、案内フィルム１１０の屈曲部上を通過しない。その結果、用紙Ｐの幅方向端Ｐ１に対応する位置を起点に、案内フィルム１１０が擦り切れることを抑制できる。また、用紙Ｐの幅方向端部は、直線状に形成された案内フィルム１１０の第２案内部１１２に支持される。その結果、案内フィルム１１０の屈曲部における用紙の幅方向端を起点に、案内フィルム１１０が擦り切れることを抑制できる。つまり、用紙Ｐの後端部が案内フィルム１１０を通過するときに生じる放電模様の発生を抑制しつつ、案内フィルム１１０の損傷を抑制することができる。
【００７０】
（２）第１案内部１１２の用紙の幅方向における長さは、第２案内部１１２の用紙の幅方向における長さよりも長い。
【００７１】
このような構成によれば、用紙Ｐが案内フィルム１１０上を通過するときに、第１案内部１１１と用紙Ｐの接触面積は、第２案内部１１２と用紙Ｐの接触面積よりも大きくなる。
【００７２】
そのため、第１案内部１１１における用紙の幅方向に延びる長さが、第２案内部１１２における用紙Ｐの幅方向に延びる長さよりも短い構成よりも、用紙Ｐの後端部は、転写位置Ｃに侵入する直前まで、感光ドラム８２に近接するように案内フィルム１１０に支持される。つまり、用紙Ｐの後端部が案内フィルム１１０を通過するときに生じる放電模様の発生をより抑制することができる。
【００７３】
（３）第１案内部１１１と第２案内部１１２は、一体で成形されている。
【００７４】
このような構成によれば、第１案内部１１１と第２案内部１１２がそれぞれ異なる部材で成形されている場合に比べて、部品点数を削減することができる。
【００７５】
つまり、転写装置１００の組立て工数を削減することができる。
【００７６】
（４）案内フィルム１１０は、第１案内部１１１と第２案内部１１２との間にスリット１１３を備えている。
【００７７】
このような構成によれば、用紙Ｐが案内フィルム１１０上を通過するときに、用紙Ｐの一部は、第１案内部１１１と第２案内部１１２の間に配置されたスリット１１３上を通過する。すなわち、用紙Ｐの一部は、案内フィルム１１０と接触しない状態となる。
【００７８】
つまり、スリット１１３が設けられていない構成に比べて、案内フィルム１１０と用紙Ｐの擦れによる紙粉の発生を抑制することができる。
【００７９】
＜実施形態２＞
図８および図９を参照して、実施形態２の案内フィルム２００の構成について説明する。なお、本実施形態は、実施形態１に係る案内フィルムの構成の一部を変更したものであるため、実施形態１と同様の構成については、同一の符号を付し、その説明を省略する。
【００８０】
案内フィルム２００は、第１案内部１１１と、一対の第２案内部２１０と、を備えている。第１案内部１１１は、一対の第２案内部２１０と別部材で構成されている。また、第１案内部１１１と一対の第２案内部２１０とは、所定の間隔を空けて配置されている。なお、一対の第２案内部２１０は、それぞれ同一構造である。そのため、以下からは、左側に配置された第２案内部２１０について詳細に説明する。
【００８１】
第２案内部２１０の先端２１１における用紙の幅方向における長さＴ１は、第２案内部２１０の基端２１２における用紙の幅方向における長さＴ２よりも短い。
【００８２】
具体的には、第２案内部の先端２１１は、図９に示すように、左右対称となるように構成され、用紙の幅方向に延びる第１部分２１１ａと、用紙の幅方向において第１部分２１１ａを挟むように配置された一対の第２部分２１１ｂと、を備えている。なお、一対の第２部分２１１ｂは、それぞれ同一構造である。そのため、以下からは、左側に配置された第２部分２１１ｂについて詳細に説明する。
【００８３】
第１部分２１１ａは、用紙の幅方向と平行に配置されている。第２部分２１１ｂは、第１部分２１１ａにおける用紙の幅方向端から、用紙搬送方向上流側に向かうにつれて、用紙の幅方向外側に向けて傾斜するように構成されている。
【００８４】
このような構成によれば、用紙Ｐと第２案内部２１０との接触面積が小さくなるとともに、第２案内部２１０の剛性の低下を抑制できる。
【００８５】
そのため、第２案内部２１０と用紙Ｐとの擦れにより紙粉の発生を抑制しつつ、第２案内部２１０が撓むことにより生じる放電模様の発生を抑制することができる。
【００８６】
＜実施形態３＞
図１０から図１２を参照して、実施形態３の転写装置３００の構成について説明する。なお、本実施形態は、実施形態１に係る転写装置の構成の一部を変更したものであるため、実施形態１と同様の構成については、同一の符号を付し、その説明を省略する。
【００８７】
転写装置３００は、図１０に示すように、転写ローラ８４と、案内フィルム１１０と、支持フレーム３１０と、一対の緩衝部材３２０と、を備えている。なお、一対の緩衝部材３２０は、それぞれ同一構造である。そのため、以下からは、左側に配置された緩衝部材３２０について詳細に説明する。
【００８８】
支持フレーム３１０は、案内フィルム１１０を支持するための傾斜溝１２１と、傾斜溝１２１よりも用紙搬送方向の下流側に配置された平面部３１１と、を備えている。平面部３１１は、仮想線Ｌに沿うように構成され、緩衝部材３２０を支持している。
【００８９】
緩衝部材３２０は、弾性を有する部材からなり、たとえば、スポンジからなる。また、緩衝部材３２０は、転写位置Ｃよりも用紙搬送方向上流側に配置されている。具体的には、緩衝部材３２０は、用紙Ｐの後端部が第２案内部１１２から外れたときに、用紙Ｐの後端部と接触する位置に配置されている。なお、緩衝部材３２０は、ゴムまたはフェルトなどから構成されていてもよい。
【００９０】
また、緩衝部材３２０は、図１１に示すように、第２案内部１１２が撓む範囲Ｒよりも外側に配置されている。また、緩衝部材３２０は、図１２に示すように、略矩形状に成形され、第２案内部１１２と対応する位置にのみ配置されている。
【００９１】
このような構成によれば、用紙Ｐの後端部における幅方向端部が第２案内部１１２上を通過した後に、用紙Ｐの後端部における幅方向端部は、緩衝部材３２０に支持される。
【００９２】
そのため、用紙Ｐの後端部における幅方向中央部だけでなく、用紙Ｐの後端部における幅方向端部も、転写位置Ｃに侵入する直前まで、感光ドラム８２に近接するように支持される。つまり、用紙Ｐの後端部が案内フィルム１１０を通過するときに生じる放電模様の発生をより抑制することができる。
【００９３】
＜変形例＞
本実施形態において、ドラムユニットは、転写ローラと、支持フレームと、案内フィルムと、を備えている。しかし、本発明は、これに限定されない。たとえば、転写ローラと、支持フレームと、案内フィルムと、を本体ケーシング側に配置してもよい。
【００９４】
また、本実施形態において、案内フィルムは、用紙の幅方向における長さが、用紙の幅よりも長くなるように構成されていた。しかし、本発明は、これに限定されない。たとえば、案内フィルムの用紙の幅方向における長さは、用紙の幅よりも短くなるように構成されていてもよい。言い換えると、第２案内部は、用紙の幅方向端よりも内側の部分と接触するように配置されていてもよい。
【００９５】
実施形態１において、第１案内部と第２案内部は、一体で成形されている。しかし、本発明は、これに限定されない。たとえば、第１案内部と第２案内部は、別部材で構成してもよい。
【００９６】
また、実施形態１において、一対のスリットは、用紙搬送方向の長さ、および、用紙の幅方向における長さが、複数のスリットと等しくなるように構成されている。しかし、本発明は、これに限定されない。たとえば、一対のスリットの用紙搬送方向の長さは、複数のスリットの用紙搬送方向の長さよりも長くなるように構成されていてもよい。また、一対のスリットの用紙の幅方向における長さは、複数のスリットの用紙の幅方向における長さよりも長くなるように構成されていてもよい。
【００９７】
また、実施形態１において、第１案内部の複数のスリットは、用紙搬送方向の長さ、および、用紙の幅方向における長さが、それぞれ等しくなるように構成されていた。しかし、本発明は、これに限定されない。たとえば、複数のスリットは、用紙搬送方向の長さ、および、用紙の幅方向における長さが、それぞれ異なるように構成されていてもよい。
【００９８】
実施形態３において、支持フレームと緩衝部材は、別部材で構成されている。しかし、本発明は、これに限定されない。たとえば、支持フレームと緩衝部材は、一体で成形されていてもよい。
【符号の説明】
【００９９】
１          レーザプリンタ
８０        ドラムユニット
８１        ドラムフレーム
８２        感光ドラム
８４        転写ローラ
１００      転写装置
１１０      案内フィルム
１１１      第１案内部
１１１ａ    第１部分
１１１ｂ    第２部分
１１１ｃ    第１部分の用紙搬送方向上流端
１１１ｄ    第１部分の用紙搬送方向下流端
１１２      第２案内部
１１２ａ    第２案内部の用紙搬送方向上流端
１１２ｂ    第２案内部の用紙搬送方向下流端
１１３      スリット
１２０      支持フレーム
１２１      傾斜溝
１２２      第１面
１２３      第２面
２００      案内フィルム
２１０      第２案内部
２１１      第２案内部の先端
２１２      第２案内部の基端
３００      転写装置
３１０      支持フレーム
３２０      緩衝部材
Ｐ          用紙
Ｐ１        用紙の幅方向端
Ｘ          第１方向
Ｙ          第２方向
【図１】
2015169869.tif 000003
【図２】
2015169869.tif 000004
【図３】
2015169869.tif 000005
【図４】
2015169869.tif 000006
【図５】
2015169869.tif 000007
【図６】
2015169869.tif 000008
【図７】
2015169869.tif 000009
【図８】
2015169869.tif 000010
【図９】
2015169869.tif 000011
【図１０】
2015169869.tif 000012
【図１１】
2015169869.tif 000013